(57)【要約】【課題】本発明はサイズを増大させることなく無線ＬＡＮに要求される高帯域（５ＧＨｚ）及び低帯域（２．４ＧＨｚ）の無線信号に対する送受信を可能にし、構造変更させることなく簡単に特性調整が可能な無線ＬＡＮアンテナ及びこれから具現した無線ＬＡＮカードに関するものである。【解決手段】本発明によるアンテナは、所定の面積を有しながらアンテナの送受信周波数帯域を決定する放射電極３１と、１つ以上のオープンスタブを有する整合電極３４と、一端は前記放射電極３１に連結され他端は前記整合電極３４に連結され、電極上の任意の位置に電流が印加される給電点ＦＰを有する給電電極３３とで成り、前記給電電極３３上に給電点ＦＰ及び接地点を任意設定することによりインピーダンス及び周波数の調整を可能にする効果がある。【選択図】図１
2004201281.tif 000002
【特許請求の範囲】
【請求項１】
所定の面積を有しながらアンテナの送受信周波数帯域を決定する放射電極と、
１つ以上のオープンスタブを有する整合電極と、
一端は前記放射電極に連結されて他端は前記整合電極に連結され、電極上の任意の位置に電流が印加される給電点を有する給電電極と、
を有することを特徴とする無線ＬＡＮアンテナ。
【請求項２】
前記無線ＬＡＮアンテナは、前記放射電極を２つ以上の領域に区分して給電電極を基準に並列連結された電流経路を形成する１つ以上のスロットを有することを特徴とする請求項１に記載の無線ＬＡＮアンテナ。
【請求項３】
前記無線ＬＡＮアンテナは、前記整合電極のオープンスタブの長さを調節してインピーダンスマッチングを調節することを特徴とする請求項１に記載の無線ＬＡＮアンテナ。
【請求項４】
前記無線ＬＡＮアンテナは、前記給電電極内の給電点の位置を調節することにより、アンテナ共振周波数及びインピーダンスマッチングを調節することを特徴とする請求項１に記載の無線ＬＡＮアンテナ。
【請求項５】
前記無線ＬＡＮアンテナは、前記給電電極上に給電点及び接地点を有することを特徴とする請求項１に記載の無線ＬＡＮアンテナ。
【請求項６】
前記オープンスタブを有する整合電極は「┐」（アングル、山形鋼）形状であることを特徴とする請求項１に記載の無線ＬＡＮアンテナ。
【請求項７】
前記オープンスタブを有する整合電極は棒形状であることを特徴とする請求項１に記載の無線ＬＡＮアンテナ。
【請求項８】
前記整合電極は、給電電極に並列連結された「┐」（アングル、山形鋼）形状のオープンスタブを２個具備することを特徴とする請求項１に記載の無線ＬＡＮアンテナ。
【請求項９】
所定の面積を有しながらアンテナの送受信周波数帯域を決定する放射電極と、
１つ以上のオープンスタブを有する整合電極と、
一端は前記放射電極に連結されて他端は前記整合電極に連結され、電極上の任意の位置に電流が印加される給電点とグラウンドに連結される接地点とが具備される給電電極と、
を有することを特徴とする逆Ｆタイプ無線ＬＡＮアンテナ。
【請求項１０】
直方体形状の誘電体ブロックと、
所定の面積を有するよう前記誘電体ブロックの上面に形成されながらアンテナの送受信周波数帯域を決定する放射電極と、
前記誘電体ブロックの前面に前記放射電極とは直に接触しないよう「┐」（アングル、山形鋼）形状に形成された整合電極と、
前記誘電体ブロックの後面及び下面にかけて形成され、一端は前記放射電極に他端は前記整合電極に連結され、下面に形成された電極上に給電点が形成される給電電極と、
を有することを特徴とする無線ＬＡＮアンテナ。
【請求項１１】
無線ＬＡＮ信号を処理すべく複数の半導体チップ及び素子が装着される印刷回路基板と、
直方体形状の誘電体ブロックの上面に所定の面積を有しながらアンテナの送受信周波数帯域を決定する放射電極が印刷され、前記誘電体ブロックの前面に前記放射電極とは直に接触しないようオープンスタブの整合電極が印刷され、前記誘電体ブロックの後面及び下面にかけて一端は前記放射電極に他端は前記整合電極に連結される給電電極が印刷されて成り、相互垂直に配置されるよう前記印刷回路基板上に装着される第１、第２アンテナとを含み、
前記第１、第２アンテナにおいて前記印刷回路基板への装着時に前記給電電極上の給電点を調整することにより、インピーダンスマッチングを調整できることを特徴とする無線ＬＡＮカード。
【請求項１２】
無線ＬＡＮ信号を処理すべく複数の半導体チップ及び素子が装着される印刷回路基板と、
前記印刷回路基板の所定の位置に当該基板から所定の高さで位置するよう固定されるアンテナ支持部材と、
所定の面積を有しながらアンテナの送受信周波数帯域を決定する放射電極と、１つ以上のオープンスタブを有する整合電極と、一端は前記放射電極に連結されて他端は前記整合電極に連結され電極上の任意の位置に電流が印加される給電点を有する給電電極とで成り、各々の放射電極が前記アンテナ支持部材により相互垂直するよう支持され、前記給電電極は前記印刷回路基板の所定の位置にハンダ付けされる第１、第２アンテナとを含み、
前記第１、第２アンテナにおいて前記印刷回路基板への装着時に前記給電電極上の給電点を調整することにより、インピーダンスマッチングを調整できることを特徴とする無線ＬＡＮカード。
【発明の詳細な説明】
【技術分野】
【０００１】
本発明は無線ＬＡＮに内蔵されるアンテナに関するもので、より詳しくは、サイズを増大させることなく高帯域（５ＧＨｚ）及び低帯域（２．４ＧＨｚ）の無線信号を送受信でき、構造を変更させることなく簡単にアンテナの特性調整が可能な無線ＬＡＮアンテナ及びこれから具現した無線ＬＡＮカードに関するものである。
【背景技術】
【０００２】
最近、移動通信装置が小型化及び軽量化され、送受信帯域が２帯域以上に多重化されながら、移動通信端末機の無線送受信を担う重要部品の一つであるアンテナも外装型のヘリカルアンテナからＦ型または逆Ｆ型アンテナへと発展してきた。
【０００３】
とりわけ、無線ＬＡＮ（Ｗｉｒｅｌｅｓｓ  Ｌｏｃａｌ  Ａｒｅａ  Ｎｅｔｗｏｒｋ）においては、現在の使用帯域である２．４ＧＨｚばかりでなく、向後マルチメディアなど大量のデータ伝送も可能にすべく５ＧＨｚ帯域まで送受信できるデュアルバンド形態のアンテナが要求されている。
【０００４】
図９は従来のデュアルバンドアンテナを表すもので、図示のように、アンテナ（２１１）は所定の面積を有する放射電極（２１３）と、前記放射電極（２１３）の内部に位置して前記放射電極（２１３）の電流経路を多重化するスロット（２１４）と、前記放射電極（２１３）に電流を印加する給電電極（２１６）と、前記放射電極（２１３）を接地させる接地電極（２１５）とで成る。
【０００５】
ここで、１つのスロット（２１４）は前記給電電極（２１６）を基準に放射電極（２１３）上に並列連結された２個の電流経路を形成し、各々の電流経路に対応する２個の周波数帯域において共振が起こるようにする。そして、前記共振の起こる２個の周波数帯域が該当アンテナの送受信帯域となる。従って、前記２個の送受信帯域は各々放射電極（２１３）のスロット（２１４）により区分された両放射領域の面積により決定される。
【０００６】
図９に表すアンテナはその形状から平板逆Ｆ型アンテナ（Ｐｌａｎａｒ  Ｉｎｖｅｒｔｅｄ  Ｆ  Ａｎｔｅｎｎａ：ＰＩＦＡ）と称され、他に、図９の構造において接地電極が無いものとしてモノポール型（Ｍｏｎｏｐｏｌｅ  ｔｙｐｅ）のアンテナも用いられる。
【発明の開示】
【発明が解決しようとする課題】
【０００７】
ところで、図９のような従来のデュアルバンドアンテナを無線ＬＡＮに適用する場合、無線ＬＡＮ自体のサイズから、アンテナの高さ、長さ、面積などに制約がかかる。
【０００８】
具体的に説明すると、図９のような構造のアンテナが適切な中心周波数を有し所望のインピーダンスマッチングを成すためには、アンテナの放射電極（２１３）がＰＣＢのグラウンド面からできる限り離れ、その面積は大きくなければならないが、最近の無線ＬＡＮ製品はＰＣＭＣＩＡカード、ＣＦカードなどのようなカード（ｃａｒｄ）形態が殆どで、アンテナの放射電極とグラウンド面との最大高が制限される。従って、無線ＬＡＮ用デュアルバンドアンテナの場合、高さ及び面積の制限から２．４ＧＨｚ及び５ＧＨｚ帯域において送受信特性が満足に出ない。
【０００９】
図１０は図９の従来の構造から具現した２．４ＧＨｚ／５ＧＨｚ用無線ＬＡＮデュアルバンドアンテナの特性を表すグラフである。前記グラフによると、従来の無線ＬＡＮデュアルバンドアンテナの２．４ＧＨｚ帯域と５ＧＨｚ帯域においてＶＳＷＲの幅が狭く大変シャープになることがわかる。前記グラフに表示されたマーカーＰ１〜Ｐ２とＰ３〜Ｐ４の帯域を基準にして見ると、２．４ＧＨｚ帯域のＶＳＷＲ値が２以上と高く、２．４ＧＨｚ帯域の信号特性が劣化する問題があり、信号特性を基準に見ると、２．４ＧＨｚ帯域で２以下のＶＳＷＲ値を満足する帯域の幅が狭く、セットや周辺環境の変化に応じてアンテナ特性がずれ易くなる欠点がある。
【００１０】
こうした欠点を改善するためには、先に説明したように、放射電極の面積を拡大するか、放射電極とグラウンドとの間隙を広げなければならないが、この場合アンテナのサイズが大きくなってしまい、カード形態の無線ＬＡＮ製品には適用し難いという問題があった。
【００１１】
本発明は上述した目的を成し遂げるための構成手段として、サイズを増大させることなく高帯域及び低帯域のアンテナ特性を満足させられ、構造を変更させることなく簡単にアンテナの特性調整が可能な無線ＬＡＮアンテナ及びこれから具現した無線ＬＡＮカードを提供することに目的がある。
【００１２】
本発明はアンテナ構造やパターンを変形させることなく結電位置を変更させるだけでインピーダンスマッチング及び共振周波数の調節が可能な無線ＬＡＮ用デュアルバンドアンテナを提供することに他の目的がある。
【００１３】
本発明はパターン形態や構造を変化させることなく簡単にモノポール型から逆Ｆ型のアンテナに変更でき、セットの変化に適切且つ迅速な対応が可能な無線ＬＡＮ用デュアルバンドアンテナを提供することにさらに他の目的がある。
【課題を解決するための手段】
【００１４】
本発明の目的を成し遂げるための構成手段として、本発明による無線ＬＡＮアンテナは、所定の面積を有しながらアンテナの送受信周波数帯域を決定する放射電極；１つ以上のオープンスタブを有する整合電極；及び、一端は前記放射電極に連結され他端は前記整合電極に連結され、電極上の任意の位置に電流が印加される給電点を有する給電電極で成ることを特徴とする。さらに、本発明による無線ＬＡＮアンテナは、前記放射電極を２つ以上の領域に区分して給電電極を基準に並列連結された電流経路を形成する１つ以上のスロットを含むことを特徴とする。さらに、本発明による無線ＬＡＮアンテナは、前記整合電極のオープンスタブ（ｏｐｅｎ  ｓｔｕｂ）の長さを調節してインピーダンスマッチング調節可能なことを特徴とする。さらに、本発明による無線ＬＡＮアンテナは、前記給電電極内の給電点位置を調節することにより、アンテナ共振周波数及びインピーダンスマッチングの調節が可能なことを特徴とする。さらに、本発明による無線ＬＡＮアンテナは、前記給電電極上に接地点をさらに形成することができ、接地点の形成の有無に応じてモノポール型アンテナから逆Ｆ型アンテナへの変更が可能なことを特徴とする。
【００１５】
さらに、本発明は、無線ＬＡＮ信号を処理すべく複数の半導体チップ及び素子が装着される印刷回路基板；及び、直方体形状の誘電体ブロックの上面に所定の面積を有しながらアンテナの送受信周波数帯域を決定する放射電極が印刷され、前記誘電体ブロックの前面に前記放射電極とは直に接触しないようオープンスタブの整合電極が印刷され、前記誘電体ブロックの後面及び下面にかけて一端は前記放射電極に他端は前記整合電極に連結される給電電極が印刷されて成り、相互垂直に配置されるよう前記印刷回路基板上に装着される第１、第２アンテナを含み、前記第１、第２アンテナにおいて印刷回路基板への装着時に給電電極上の給電点を調整することにより、インピーダンスマッチングを調整することを特徴とする無線ＬＡＮカードを提供する。
【００１６】
さらに、本発明は、無線ＬＡＮ信号を処理すべく複数の半導体チップ及び素子が装着される印刷回路基板；前記印刷回路基板の所定の位置に基板から所定の高さで位置するよう固定されるアンテナ支持部材；及び、所定の面積を有しながらアンテナの送受信周波数帯域を決定する放射電極と、１つ以上のオープンスタブを有する整合電極と、一端は前記放射電極に連結され他端は前記整合電極に連結され、電極上の任意の位置に電流が印加される給電点を有する給電電極とで成り、各々の放射電極が前記アンテナ支持部材により相互垂直に支持され、各々の給電電極は給電点において印刷回路基板にハンダ付けされる第１、第２アンテナを含み、前記第１、第２アンテナのハンダ付けされる給電点を変更することによりインピーダンスマッチングを成せる無線ＬＡＮカードを提供する。
【発明の効果】
【００１７】
本発明による無線ＬＡＮアンテナは、結電部分を基準に放射電極とオープンスタブの整合電極とを連結して形成することにより、アンテナの超小型化及び高性能化を具現する効果がある。さらに、本発明による無線ＬＡＮアンテナは、電極の長さを変更させることなく結電位置の変更のみでもアンテナインピーダンス及び共振周波数の調節が可能で、簡単な方法からアンテナ特性の調整が可能になり、結果としてアンテナ作製費用を節減できる効果がある。さらに、本発明による無線ＬＡＮアンテナは、結電された給電電極の一部をグラウンドに短絡させることにより、モノポールタイプアンテナから逆Ｆ型アンテナへのアンテナ構造変更が自在で、また前記給電点と接地点との間隔及び位置の調整によりアンテナ特性を調整できることにより、セット変化に迅速に対応できる効果がある。
【発明を実施するための最良の形態】
【００１８】
以下、添付の図面を参照しながら本発明の構成及び作用について詳細に説明する。図１は本発明による無線ＬＡＮアンテナの一実施の形態を表す斜視図である。図１によると、本発明による無線ＬＡＮアンテナは、所定の面積を有しながらアンテナの送受信周波数帯域を決定する放射電極（３１）と、前記放射電極（３１）を給電点（ＦＰ）から並列連結された２個の電流経路を有するよう区分するスロット（３２）と、一端が前記放射電極（３１）の所定部分に連結されて、任意の位置に電流が印加される給電点（ＦＰ）が形成される給電電極（３３）と、前記給電電極（３３）の他側端部に連結されて、前記放射電極（３１）と所定の間隔を有する１つ以上のオープンスタブを有する整合電極（３４）とで成る。
【００１９】
前記のような構造のアンテナは、誘電体セラミックあるいはポリマーから製造された所定の厚さを有する誘電体ブロックの各面に印刷して具現することもでき、またはプレス（ｐｒｅｓｓ）により形成された後、所定の支持部材（例えば、プラスチックやポリマーから成り印刷回路基板上に固定される）により図１の形状を維持するよう支持させることもできる。
【００２０】
前記のように、本発明のアンテナはその具現方法に関係無く、前記放射電極（３１）、スロット（３２）、給電電極（３３）、及び整合電極（３４）の面積と距離、そして高さにより特性が左右される。同じく、前記放射電極（３１）と給電電極（３３）と整合電極（３４）は、ペースト状のＡｇ、Ｃｕあるいは他の導電性物質をスクリーンプリンティングなどの方法により誘電体ブロックの表面に印刷後熱処理して形成するか、メッキなどの方法により形成することができ、また、板金形態のＡｇ、Ｃｕあるいは他の導電性電極を図３の形態に切り取り前記誘電体ブロックの表面に付着するか、印刷回路基板上に位置する支持部材でその形状を支持するよう具現することができる。
【００２１】
異なった方法として、前記アンテナは前述した支持体を使用せず、前記電極ら（３１、３３、３４）を印刷回路基板（Ｐｒｉｎｔｅｄ  Ｃｉｒｃｕｉｔ  Ｂｏａｒｄ）上に直接形成することもできる。そして、前記スロット（３２）は、給電点（ＦＰ）から入力された電流が流れる並列連結された２個以上の経路を放射電極（３１）上に形成するもので、各放射領域の電気的長さに応じて相異する共振周波数が生じるようにする。従って、前記スロット（３２）は、該当アンテナに要求される周波数帯域が１つの場合は必要無く、該当アンテナに要求される周波数帯域が２つ以上であれば、それに応じて多数個形成することもできる。
【００２２】
図１の実施の形態は２．４ＧＨｚと５ＧＨｚのデュアルバンドにおいて送受信可能な無線ＬＡＮアンテナを表すもので、１つのスロット（３２）が形成され、前記スロット（３２）により区分された放射電極（３１）の２つの領域の電気的長さにより２つの帯域で共振が起こるもので、同面積の放射電極（３１）があるとすれば、前記スロット（３２）の長さ（Ｄ１）に応じて共振帯域が異なってくる。即ち、スロット（３２）の長さ（Ｄ１）が長くなるとそれだけ電流経路が長くなり全体として共振周波数帯域が低くなり、逆にスロット（３２）の長さ（Ｄ１）が短くなると電流経路が短くなり全体として共振周波数帯域が高くなる。即ち、スロット（Ｄ１）の長さ調整により、低周波数帯域と高周波数帯域両方での共振周波数を同時に調整できるのである。
【００２３】
前記放射電極（３１）及びスロット（３２）の形状は図１の形状に限定されず、一般に周知の如何なる形態でもよい。そして、前記整合電極（３４）は「┐」（アングル、山形鋼）形態に形成され、一端は給電電極（３３）を介して放射電極（３１）と連結され、他端にはオープンスタブが形成され、アンテナのインピーダンスマッチング（インピーダンス整合）を調節する手段として前記オープンスタブの長さ（Ｄ２）に応じてアンテナのインピーダンスが調節される。
【００２４】
具体的には、前記オープンスタブの長さ（Ｄ２）を長くすると、該当アンテナのインピーダンスサークルが大きくなりアンテナのインピーダンスが低くなり、逆にオープンスタブの長さ（Ｄ２）を短くすると、アンテナのインピーダンスが高くなり、前記整合電極（３４）によりアンテナインピーダンスマッチングが可能になる。さらに、前記スロット（３２）の長さ（Ｄ１）と整合電極（３４）のオープンスタブ長さ（Ｄ２）とを共に調整することにより、アンテナの周波数特性及び帯域特性を共に調節できるようになる。
【００２５】
図１の実施の形態は本発明による無線ＬＡＮアンテナの基本的な構成例を表すもので、前記構成においてスロット（３２）と整合電極（３４）のオープンスタブの数及び形態を変更でき、そうして最適のアンテナ設計値が得られる。例えば、図５は「┐」（アングル、山形鋼）形態のオープンスタブから突出した「−」部分を除去した本発明の無線ＬＡＮアンテナにおける変形例を表すもので、整合電極（３４’）が棒形状となり、この際インピーダンスマッチング（インピーダンス整合）は前記整合電極（３４’）の長さ（即ち、高さ）調整により行われる。
【００２６】
本発明のさらに他の変形例として、図６は複数のオープンスタブを有する無線ＬＡＮアンテナを表すものである。図６に表すように、本発明の無線ＬＡＮアンテナは給電電極（３３）の他端に並列連結された２個の整合電極（３４、３５）をさらに具備することができる。この際、インピーダンスは前記２個の整合電極（３４、３５）のオープンスタブ長さの和に依存することになる。前記整合電極（３４、３５）の数は必要に応じてさらに増加させられる。以上のような整合電極（３４、３５）の変形は必要に応じて行われる。
【００２７】
図２は図１のように２．４ＧＨｚ及び５ＧＨｚの無線ＬＡＮ用デュアルバンドアンテナを具現し、そのＶＳＷＲを測定したもので、この際アンテナのサイズは図１０において測定した従来のアンテナと同じくした。
【００２８】
図１０の従来の測定値と比較して図２の測定結果を見ると、従来のアンテナはマーカーＰ１とＰ２間の２．４〜２．４８４ＧＨｚ帯域において高いＶＳＷＲを表すが、本発明のアンテナはマーカーＰ１とＰ２間の２．４〜２．４８４ＧＨｚ帯域より広い帯域において２以下の定在波比を表す。
【００２９】
一般に、アンテナはＶＳＷＲ（定在波電圧比）を満足する共振周波数帯域が広いほど、セット周囲環境の変化によるアンテナの特性ずれが無く安定して高性能を実現することができる。従来の無線ＬＡＮアンテナは、２．４ＧＨｚ帯域においてはセット及び周辺環境によりアンテナ特性が容易に歪んでしまい要求される性能を満足できないが、本発明によるアンテナは両帯域全てにおいて広い帯域幅特性を表しセット及び周辺環境の変化に対して安定した特性を呈する利点がある。
【００３０】
さらに、本発明によるアンテナは５ＧＨｚ帯域（マーカーＰ３〜マーカーＰ４間の帯域）においても従来のアンテナより低い定在波比を表し、このことから本発明によるデュアルバンドの無線ＬＡＮアンテナは２．４ＧＨｚ帯域ばかりでなく５ＧＨｚ帯域までも全て良好な信号特性を呈する。
【００３１】
そして、本発明による無線ＬＡＮアンテナは、前述した整合電極（３４）のオープンスタブの長さやスロット（３２）の長さを調節せずに、給電電極（３３）上に実際電流が入力される、即ち外部回路と接する給電点（ＦＰ）の位置を変更することによりアンテナマッチングを成すことができる。
【００３２】
図３（Ａ）と（Ｂ）は、図１の無線ＬＡＮアンテナにおいて給電点（ＦＰ）の位置を変更した例を表すものである。先ず、図３（Ａ）は、図１の無線ＬＡＮアンテナにおいて給電点（ＦＰ）を放射電極（３１）側に偏るよう位置させたもので、この場合、相対的に整合電極（３４）のオープンスタブの長さが長くなる効果が得られる。即ち、給電点（ＦＰ）が放射電極（３１）側へ偏った分だけ整合電極（３４）のオープンスタブ長さが長くなり、その結果アンテナのインピーダンスが低くなる方（即ち、インピーダンスサークルが大きくなる方向）にインピーダンスを調節できるようになる。さらに、放射電極（３１）の側面から見ると給電点（ＦＰ）が放射電極（３１）側に偏ることにより、相対的に電流経路が短くなる効果を奏し、従って共振帯域の中心周波数が高い方に移動する。
【００３３】
次に、図３（Ｂ）は図１の無線ＬＡＮアンテナにおいて給電点（ＦＰ）を整合電極（３４）側に偏るよう形成した場合で、今度は逆に、電流経路は長くなりオープンスタブの長さは短くなり、アンテナのインピーダンスが高くなる方向に調節され、共振帯域の中心周波数は低い周波数方向へ移動する。
【００３４】
従って、本発明による無線ＬＡＮアンテナは、給電点（ＦＰ）の位置変更だけでもアンテナのインピーダンスと中心周波数を共に変化させ、セット別に各々最適のアンテナ具現を容易にする。さらに、本発明による無線ＬＡＮアンテナはモノポールタイプアンテナから逆Ｆ型アンテナに変更することができる。
【００３５】
先に説明したように、逆Ｆ型アンテナは一側から放射電極へ電流を与えると同時に放射電極を接地させる。従って、給電点と接地点とが同時に表れるが、図４のように、本発明による無線ＬＡＮアンテナは給電点（ＦＰ）を有する給電電極（３３）の所定の点を接地させることにより、逆Ｆ型アンテナに変形させられる。前記給電電極（３３）上において接地された部分を接地点（ＳＰ）といい、前記給電点（ＦＰ）と接地点（ＳＰ）との間隔及び位置を調整することにより、セットにおいて印刷回路基板のグラウンド条件が大幅に異なってもアンテナのインピーダンスマッチング（インピーダンス整合）及びこのうち共振周波数の変更を容易にすることができる。以上のような本発明の無線ＬＡＮアンテナは、垂直偏波用と水平偏波用とに２個のアンテナを用するダイバーシチアンテナの具現にとりわけ有利である。
【００３６】
図７及び図８は無線ＬＡＮカードにおいて本発明のアンテナを用いてダイバーシチアンテナを具現する実施の形態を表すものである。先ず、図７は本発明による無線ＬＡＮアンテナをチップアンテナタイプに製造して用いたもので、無線ＬＡＮカードの印刷回路基板（９１）上に、縦方向に第１アンテナ（９２）を付着後、前記第１アンテナ（９２）に直交する方向に第２アンテナ（９３）を付着する。この際、第１アンテナ（９２）との干渉により第２アンテナ（９３）の特性がセット毎に異なることがある。このため、第２アンテナ（９３）を印刷回路基板（９１）上にハンダ付けする前に、誘電体ブロック（９３ａ）の下面に形成された給電電極上の給電点（ＦＰ２）（即ち、印刷回路基板のパターンとハンダ付けされる点）の位置を調整しながら最適の特性を呈するようアンテナ特性を調整することができる。同じく、第１アンテナ（９２）も給電点（ＦＰ１）の位置を調整してアンテナ特性を調整することができる。
【００３７】
次に、図８は本発明による無線ＬＡＮアンテナで具現した異なる形態のダイバーシチアンテナで、無線ＬＡＮ信号を処理する複数の回路及び素子が装着される印刷回路基板（１０１）上の所定位置にポリマーまたはプラスチック材質から成るアンテナ支持部材（１０２）を形成し、前記アンテナ支持部材（１０２）により本発明の第１、第２アンテナ（１０３、１０４）が相互に垂直に配置されるよう支持する。
【００３８】
この際、第１、第２アンテナ（１０３、１０４）の放射電極はアンテナ支持部材（１０２）の上部面に位置し、第１、第２アンテナ（１０３、１０４）の給電電極は印刷回路基板（１０１）に位置して、その電極上の所定の点が信号パターン及び／または接地パターンにハンダ付けされる。
【００３９】
前記アンテナ支持部材（１０２）は第１、第２アンテナ（１０３、１０４）の放射電極が印刷回路基板（１０１）から所定の高さで位置するよう支持するもので、特別な形態に制限されはしない。この際、第１、第２アンテナ（１０３、１０４）は、金属板をプレスにより先述した放射電極（３１）、スロット（３２）、給電電極（３３）、整合電極（３４）を有するよう形成して成ったものである。
【００４０】
そして、図８のダイバーシチアンテナも、先に図７で説明したように、第１、第２アンテナ（１０３、１０４）の給電点を変更しインピーダンスを調節することにより第１、第２アンテナ（１０３、１０４）間の干渉による影響を最小化することができる。
【図面の簡単な説明】
【００４１】
【図１】本発明によるデュアルバンドアンテナを表す斜視図である。
【図２】本発明によるデュアルバンドアンテナの特性を表すグラフである。
【図３】本発明によるデュアルバンドアンテナの結電位置の変更例を表す図面である。
【図４】本発明によるデュアルバンドアンテナを逆Ｆ型アンテナに変形した例を表す図面である。
【図５】本発明によるアンテナの他の変形例を表す斜視図である。
【図６】本発明によるアンテナのさらに他の変形例を表す斜視図である。
【図７】本発明による無線ＬＡＮデュアルバンドアンテナで具現したダイバーシチアンテナの組立状態図である。
【図８】本発明による無線ＬＡＮデュアルバンドアンテナで具現したダイバーシチアンテナの他の組立状態図である。
【図９】従来のデュアルバンドアンテナの一例を表す斜視図である。
【図１０】従来のデュアルバンドアンテナの特性を表すグラフである。
【符号の説明】
【００４２】
３０  誘電体ブロック
３１  放射電極
３２  スロット
３３  給電電極
３４  整合電極
ＦＰ  給電点（ｆｅｅｄｉｎｇ  ｐｏｉｎｔ）
ＳＰ  接地点（ｓｈｏｒｔ  ｐｏｉｎｔ）
【図１】
2004201281.tif 000003
【図２】
2004201281.tif 000004
【図３】
2004201281.tif 000005
【図４】
2004201281.tif 000006
【図５】
2004201281.tif 000007
【図６】
2004201281.tif 000008
【図７】
2004201281.tif 000009
【図８】
2004201281.tif 000010
【図９】
2004201281.tif 000011
【図１０】
2004201281.tif 000012